(57)【要約】【課題】  小型扇風機において、小型で汎用性のある首振り機構を提供すること。【解決手段】  首振り動作を行う扇風機本体Ａと、底板４１及びこの底板４１の上部に回転可能に設けられた台部２５とから構成される台座部Ｃと、扇風機本体Ａ及び台座部Ｃの間に設けられる首振り駆動用ユニットＢとを具備し、首振り駆動用ユニットＢ内に首振り駆動用のモータ１３を備えた扇風機の首振り機構において、首振り駆動用ユニットＢは、モータ１３の回転に駆動連係するカム体２１と、このカム体に駆動連係して揺動動作する揺動ラック体２０と、台座部Ｃの底板４１に保持されるラチェット歯車４０と、を備え、ラック２０ａとラチェット歯車４０とが噛合する扇風機の首振り機構。【選択図】  図１
2014211116.tif 000002
【特許請求の範囲】
【請求項１】
首振り動作を行う扇風機本体と、底板及びこの底板の上部に回転可能に設けられた台部とから構成される台座部と、前記扇風機本体及び前記台座部の間に設けられる首振り駆動用ユニットとを具備し、前記首振り駆動用ユニット内に首振り駆動用のモータを備えた扇風機の首振り機構において、
前記首振り駆動用ユニットは、前記扇風機本体に保持されるとともに、前記台座部の前記台部に固定される左右のユニットケースを設けて、これら左右のユニットケースの間に前記モータの回転に駆動連係するカム体と、このカム体に駆動連係して揺動動作しその揺動端部にラックを設けた揺動ラック体と、前記台座部の前記底板に保持されるラチェット歯車と、を備えるとともに、前記揺動ラック体の前記ラックと前記ラチェット歯車とが噛合して構成されることを特徴とする扇風機の首振り機構。
【請求項２】
扇風機本体と台座部との間に首振り駆動ユニットを設け、前記首振り駆動ユニット内に首振り駆動用のモータを備えた形式の扇風機の首振り機構において、
前記扇風機本体は、前記首振り駆動ユニットを覆う一方及び他方のケース部を備えるとともに、他方のケース部には前記首振り駆動ユニットの上端部を保持する首振り駆動ユニットの保持部を備えて、この保持部と前記首振りユニットの上端部とが、前記ケース部及び首振りユニットにおける相対回動の支点部を構成し、
前記首振り駆動ユニットは、前記モータに駆動連係するカム体と、このカム体を回転可能に支持するユニットケースと、を備えて、当該首振り駆動ユニットの下部を前記台座部に固定し、
前記カム体は、鉛直方向に位置するとともに、当該カム体の前記ユニットケース側の鉛直面部には、八の字カム溝が形成され、
前記ユニットケースには、前記八の字カム溝に対向する長穴を設け、
更に、前記ユニットケースの前記長穴に対向する位置における前記一方のケース部には、その先端が前記長穴を挿通して前記八の字カム溝と係合する前後駆動制御ピンを設けて構成されることを特徴とする扇風機の首振り機構。
【請求項３】
首振り動作を行う扇風機本体と、底板及びこの底板の上部に回転可能に設けられた台部とから構成される台座部と、前記扇風機本体及び前記台座部の間に設けられる首振り駆動用ユニットとを具備し、前記首振り駆動用ユニット内に首振り駆動用のモータを備えた扇風機の首振り機構において、
前記首振り駆動用ユニットは、前記扇風機本体に保持されるとともに、前記台座部の前記台部に固定される左右のユニットケースを設けて、これら左右のユニットケースの間に前記モータの回転に駆動連係するカム体と、このカム体に駆動連係して揺動動作しその揺動端部にラックを設けた揺動ラック体と、前記台座部の前記底板に保持されるラチェット歯車と、を備えるとともに、前記揺動ラック体の前記ラックと前記ラチェット歯車とが噛合して構成され、
また、前記扇風機本体は、前記首振り駆動用ユニットを覆う一方及び他方のケース部を備えるとともに、前記他方のケース部には前記首振り駆動用ユニットの上端部を保持する首振り駆動用ユニットの保持部を備えて、この保持部と前記首振り駆動用ユニットの上端部とが、前記ケース部及び前記首振り駆動用ユニットにおける相対回動の支点部を構成し、
前記カム体は、鉛直方向に位置するとともに、当該カム体の前記ユニットケース側の鉛直面部には、八の字カム溝が形成され、
前記ユニットケースには、前記八の字カム溝に対向する長穴を設け、
更に、前記ユニットケースの前記長穴に対向する位置における前記一方のケース部には、その先端が前記長穴を挿通して前記八の字カム溝と係合する前後駆動制御ピンを設けて構成されることを特徴とする扇風機の首振り機構。
【請求項４】
前記請求項１又は３において、前記ラチェット歯車は、ラチェット爪を備え、他方、前記台座部にて前記ラチェット歯車を保持する部位には前記ラチェット爪と係合する歯部を設けて、ラチェット構造を構成したことを特徴とする扇風機の首振り機構。
【発明の詳細な説明】
【技術分野】
【０００１】
本発明は、扇風機に首振り専用のモータを備えた形式の首振機構に関する。
【背景技術】
【０００２】
扇風機の首振り機構として、家庭用扇風機に多用されているリンク機構を用いたもの、電車の天吊り型扇風機に用いられている歳差運動を利用したもの、首振り用のサーボモータを用いてモータの回転方向を変えて往復運動するもの等が知られている。尚、首振り機構を用いずにルーバー（前カバー）が回転して風向きを変化させるものも用いられている。
【０００３】
更に、立体首振り機構の代表的なものとして、サーボモータを２個用いたり、リンク機構を２個用いて、Ｘ軸、Ｙ軸の揺動運動を組み合わせるものもある。
【先行技術文献】
【特許文献】
【０００４】
【特許文献１】特公昭３３−５３３７号公報
【特許文献２】実公昭４０−１０６９号公報
【特許文献３】実開平２−３４７８７号公報
【特許文献４】特開平５−２８８１８９号公報
【特許文献５】特開平８−１２１３８０号公報
【特許文献６】特許第２５４２９２３号公報
【特許文献７】実用新案登録第３０７２７４８号公報
【特許文献８】特開２００１−３４２９９０号公報
【特許文献９】特開２００４−３２４６４０号公報
【発明の概要】
【発明が解決しようとする課題】
【０００５】
上述した扇風機の首振り機構として、リンク機構は小型化するとアームが短くなるため、首振り往復運動の右回転、左回転の速度差が大きくなってしまったり、首振り角度を大きく採ることが困難となる欠点を有する。
【０００６】
サーボモータを用いて首振りを行うものは、構造が単純で往復運動の左右回転差がなく首振り角の自由度が大きいという利点を有するが、高価であるという欠点がある。
【０００７】
立体首振り機構でモータを２個用いるものは、２個のモータの同期をとることが困難であり、そのため２個のモータに回転差を設けて向きをランダムに変化させているので、向きの変化の周期が一定でなく、また、モータを２個用いるためコスト高となる不都合がある。
【０００８】
また、立体首振り機構でリンク機構を２個用いるものは、組立て時にＸ軸、Ｙ軸の位相を合わせる必要があり、機構の小型化が難しく、外力が加わって位相がずれるとこれを戻すことが困難である等の不都合がある。
【０００９】
そこで、本発明は、小型扇風機において、小型で汎用性のある首振り機構を提供することを目的とするものである。
【課題を解決するための手段】
【００１０】
本願第１請求項に記載した発明は、実施例で用いた符号を付して記すと、首振り動作を行う扇風機本体Ａと、底板４１及びこの底板４１の上部に回転可能に設けられた台部２５とから構成される台座部Ｃと、前記扇風機本体Ａ及び台座部Ｃの間に設けられる首振り駆動用ユニットＢとを具備し、前記首振り駆動用ユニットＢ内に首振り駆動用のモータ１３を備えた扇風機の首振り機構において、
前記首振り駆動用ユニットＢは、扇風機本体Ａに保持されるとともに、台座部Ｃの台部２５に固定される左右のユニットケース１５，２２を設けて、これらユニットケース１５，２２の間に前記モータ１３の回転に駆動連係するカム体２１と、このカム体に駆動連係して揺動動作しその揺動端部にラック２０ａを設けた揺動ラック体２０と、台座部Ｃの底板４１に保持されるラチェット歯車４０と、を備えるとともに、前記揺動ラック体２０のラック２０ａと前記ラチェット歯車４０とが噛合して構成される扇風機の首振り機構である。
【００１１】
本願第２請求項に記載した発明は、扇風機本体Ａと台座部Ｃとの間に首振り駆動用ユニットＢを設け、前記首振り駆動用ユニット内に首振り駆動用のモータ１３を備えた形式の扇風機の首振り機構において、
前記扇風機本体Ａは、前記首振り駆動用ユニットＢを覆う一方及び他方のケース部（中ケース３，後ケース６）を備えるとともに、他方のケース部（後ケース６）には前記首振り駆動用ユニットＢの上端部を保持する首振り駆動用ユニットＢの保持部６３を備えて、この保持部６３と前記首振り駆動用ユニットＢの上端部とが、前記ケース部及び首振り駆動用ユニットＢにおける相対回動の支点部を構成し、
前記首振り駆動用ユニットＢは、前記モータに駆動連係するカム体２１と、このカム体を回転可能に支持するユニットケース２２と、を備えて、当該首振り駆動用ユニットＢの下部を台座部Ｃに固定し、
前記カム体２１は、鉛直方向に位置するとともに、当該カム体の前記ユニットケース側の鉛直面部には、八の字カム溝２１ａが形成され、
前記ユニットケース２２には、前記八の字カム溝２１ａに対向する長穴２２ｂを設け、
更に、前記ユニットケース２２の前記長穴２２ｂに対向する位置における前記一方のケース部（中ケース３）には、その先端が前記長穴２２ｂを挿通して前記八の字カム溝２１ａと係合する前後駆動制御ピン２４を設けて構成される扇風機の首振り機構である。
【００１２】
本願第３請求項に記載した発明は、首振り動作を行う扇風機本体Ａと、底板４１及びこの底板４１の上部に回転可能に設けられた台部２５とから構成される台座部Ｃと、前記扇風機本体Ａ及び台座部Ｃの間に設けられる首振り駆動用ユニットＢとを具備し、前記首振り駆動用ユニットＢ内に首振り駆動用のモータ１３を備えた扇風機の首振り機構において、
前記首振り駆動用ユニットＢは、扇風機本体Ａに保持されるとともに、台座部Ｃの台部２５に固定される左右のユニットケース１５，２２を設けて、これらユニットケース１５，２２の間に前記モータ１３の回転に駆動連係するカム体２１と、このカム体２１に駆動連係して揺動動作しその揺動端部にラック２０ａを設けた揺動ラック体２０と、台座部Ｃの底板４１に保持されるラチェット歯車４０と、を備えるとともに、前記揺動ラック体２０のラック２０ａと前記ラチェット歯車４０とが噛合して構成され、
また、前記扇風機本体Ａは、前記首振り駆動用ユニットＢを覆う一方及び他方のケース部（中ケース３，後ケース６）を備えるとともに、他方のケース部（後ケース６）には前記首振り駆動用ユニットＢの上端部を保持する首振り駆動用ユニットＢの保持部６３を備えて、この保持部６３と前記首振り駆動用ユニットＢの上端部とが、前記ケース部（中ケース３，後ケース６）及び首振り駆動用ユニットＢにおける相対回動の支点部を構成し、
前記カム体２１は、鉛直方向に位置するとともに、当該カム体の前記ユニットケース側の鉛直面部には、八の字カム溝２１ａが形成され、
前記ユニットケース２２には、前記八の字カム溝に対向する長穴２２ｂを設け、
更に、前記ユニットケース２２の前記長穴２２ｂに対向する位置における前記一方のケース部（中ケース３）には、その先端が前記長穴２２ｂを挿通して前記八の字カム溝２１ａと係合する前後駆動制御ピン２４を設けて構成される扇風機の首振り機構である。
【００１３】
本願第４請求項に記載した発明は、前記請求項１又は３において、前記ラチェット歯車４０はラチェット爪４０ｂ，４０ｂを備え、他方、前記台座部Ｃにてラチェット歯車４０を保持する部位には前記ラチェット爪４０ｂ，４０ｂと係合する歯部４１ｂ，４１ｂを設けて、ラチェット構造を構成した扇風機の首振り機構である。
【発明の効果】
【００１４】
本願第１請求項に記載した発明によれば、前記モータ１３の回転に伴い前記揺動ラック体２０が揺動し、この揺動ラック体のラック２０ａとこれに噛合する前記ラチェット歯車４０との相対駆動により、当該揺動ラック体２０が当該ラチェット歯車４０の回りを噛み合い往復回動し、これにより前記首振り駆動用ユニットＢが回動駆動して、前記扇風機本体Ａが水平方向に首振り駆動する扇風機の首振り機構を得ることができる。
【００１５】
本願第２請求項に記載した発明によれば、前記モータ１３の回転に伴い前記カム体２１が回転し、このカム体が偏心回転して、前記八の字カム溝２１ａに係合する前記前後駆動制御ピン２４を前後駆動せしめ、この前後駆動制御ピンの前後駆動により、前記ケース部３を介して、前記首振り駆動用ユニットＢが前後方向に揺動し、これにより首振り駆動用ユニットＢを保持する扇風機本体Ａが前後方向に首振り駆動する扇風機の首振り機構を得ることができる。
【００１６】
本願第３請求項に記載した発明によれば、前記モータ１３の回転に伴い前記揺動ラック体２０が揺動し、この揺動ラック体２０のラック２０ａとこれに噛合する前記ラチェット歯車４０との相対駆動により、当該揺動ラック体２０が当該ラチェット歯車４０の回りを噛み合い往復回動し、これにより前記首振り駆動用ユニットＢが水平方向に首振り駆動し、また、前記カム体２１の偏心回転により、前記八の字カム溝２１ａに係合する前記前後駆動制御ピン２４を前後駆動せしめ、この前後駆動制御ピン２４の前後駆動により、前記ケース部（中ケース３）を介して、前記首振り駆動用ユニットＢが、前後方向に首振り駆動するので、前記水平方向の首振り駆動と前記前後方向の首振り駆動とが合体して扇風機本体Ａが水平方向及び前後方向に駆動する扇風機の首振り機構を得ることができる。
【００１７】
本願第４請求項に記載した発明によれば、前記首振り駆動用ユニットＢに外力が加わった際に、当該ラチェット爪４０ｂ，４０ｂと歯部４１ｂ，４１ｂとの係合が外れるラチェット構造を具備した扇風機の首振り機構を得ることができる。
【図面の簡単な説明】
【００１８】
【図１】本発明の実施例に係り、扇風機の首振り機構を示す分解斜視図である。
【図２】本発明の実施例に係り、首振りユニット部分を示す分解斜視図である。
【図３】本発明の実施例に係り、首振りユニット部分を示す分解斜視図である。
【図４】本発明の実施例に係り、首振りユニット部分を示す組立て斜視図である。
【図５】本発明の実施例に係り、扇風機の首振り機構の要部を示す外観図であって、（ａ）は側面方向からの図、（ｂ）は正面右上方向からの斜視図、（ｃ）は背面上方向からの斜視図である。
【図６】本発明の実施例に係り、扇風機の首振り機構を一部破断して示す図であって、（ａ）は側面方向からの図、（ｂ）は正面方向からの図、（ｃ）は前後方向駆動をした状態における側面方向からの図、（ｄ）は上方からの図である。
【発明を実施するための最良の形態】
【００１９】
以下に、本発明の実施例を図面に基づいて詳細に説明する。図１において、本例の扇風機の首振り機構は、首振り動作を行う扇風機本体Ａ、首振り駆動用ユニットＢ及び台座部Ｃで構成される。
【００２０】
扇風機本体Ａは、送風部を構成するもので、図１において順に、前ケース１、下流側インペラ２、中ケース３、下流側モータ４、上流側モータ５、後ケース６、上流側インペラ７、グリルカバー８、スイッチ回路部９，１０，１１，１２で形成されている。
【００２１】
前記中ケース３は、更に図２に示すように、モータ覆い部から垂下する柱状部３１、後ケース６の保持部６３を覆う横板状部３２、横板状部３２の下方に形成されるスイッチ配置部３３、スイッチ配置部３３の一方側面から後ケース６の方向に突出する突片３４を備える。
【００２２】
前記突片３４は、右ユニットケース２２の長穴２２ｂに対応した箇所に形成され、前後揺動制御ピン２４を挿入するための孔３４ａを備える。
【００２３】
前記後ケース６は、モータ覆い部から垂下する柱状部６１、首振り駆動用ユニットＢの載置部６２、及び、前記柱状部６１の下端に形成される首振り駆動用ユニットＢの保持部６３を備える。この保持部６３は、後述する首振り駆動用ユニットＢの上部軸受部（上部軸２０ｃ）を保持する。
【００２４】
尚、前記スイッチ回路部９，１０，１１，１２は、中ケース３の前記スイッチ配置部３３に設置されている。尚、１０は回路基板、１１はプッシュスイッチ、１２はスライドスイッチで、これらのプッシュスイッチ１１とスライドスイッチ１２の双方を、ボタン９で操作することができる。
【００２５】
首振り駆動用ユニットＢは、図１〜図４に示すように、ウオームギア１３ａをモータ軸に固着したモータ１３、順に、ブッシュ１４、左ユニットケース１５、歯車１６，１７，１８，１９で形成される減速歯車列、揺動ラック体２０、前記歯車１９で回転駆動されるカム体２１、右ユニットケース２２で構成されている。
【００２６】
左ユニットケース１５は、モータ１３を固定し、上部に軸受部１５ａ、減速歯車列の歯車１９の支持用軸１５ｂ、右ユニットケース２２との固着部１５ｃを備え、下端は後述する台座部Ｃの台部２５に載置される。前記軸受部１５ａは、揺動ラック体２０の上部軸２０ｃの一端を支持する。
【００２７】
前記減速歯車列は、前記ウオームギア１３ａとその大径歯車１６ａが噛み合う歯車１６、歯車１６の小径歯車１６ｂがその大径歯車１７ａと噛み合う歯車１７、歯車１７の小径歯車１７ｂがその大径歯車１８ａと噛み合う歯車１８、歯車１８の小径歯車１８ｂがその大径歯車１９ａと噛み合う歯車１９で構成されている。
【００２８】
歯車１９の小径歯車１９ｂは、後に上述するカム体２１のギア受部２１ｃと噛合する。尚、小径歯車１９ｂは中央に筒部を備え、この筒部が、ギア受部２１ｃの中央に形成されている突出軸２１ｂに嵌合する。これにより、小径歯車１９ｂとギア受部２１ｃとの噛合が確実になされるように構成されている。
【００２９】
揺動ラック体２０は、上部に揺動用の上部軸２０ｃ、下部にラック２０ａ、中間部には、カム体２１のカム縁部を内嵌め係合するカム係合穴２０ｂを備える。
【００３０】
前記ラック２０ａは、湾曲形状を呈している。この湾曲形状は、上部軸２０ｃとラック２０ａ間を半径とする円弧に相応している。
【００３１】
カム体２１は、その外周縁はカム体回転中心に対し偏心するカム縁部を構成し、減速歯車列の側にギア受部２１ｃ、裏面（右ユニットケース２２の側）には八の字カム溝２１ａ、ギア受部２１ｃの中央には表裏側に突出する突出軸２１ｂを、それぞれ形成している。
【００３２】
右ユニットケース２２は、上部に軸部２２ａ、カム体２１裏面の八の字カム溝２１ａに臨む長穴２２ｂ、左ユニットケース１５との固着部２２ｃ、左ユニットケース１５の方向へ突出した部位の先端部に形成した軸部２２ｄを備える。この軸部２２ｄには、歯車１６の小径歯車１６ｂが装着される。また、軸部２２ａにはブッシュ２３が装着される。固着部２２ｃには、左ユニットケース１５の固着部１５ｃ（この例では軸）が固着される。そして、この固着部２２ｃは、本例では孔であり、この孔に図示を省略したねじを挿通して、左ユニットケース１５の固着部１５ｃを固定する。尚、図４に示すように、２２ｅは孔で、この孔２２ｅに、カム体２１の突出軸２１ｂを回転可能に支持する。また、右ユニットケース２２の下端は、台座部Ｃの台部２５に載置される。
【００３３】
右ユニットケース２２において、軸部２２ａは揺動ラック体２０の上部（軸２０ｃに対応する箇所）と係合して、揺動ラック体２０を支持する。更に、右ユニットケース２２は、前記左ユニットケース１５とともに揺動ラック体２０の上部を保持する（図４参照）。このようにして組み立てられた首振り駆動用ユニットＢの上部（左ユニットケース１５の上部、揺動ラック体２０の上部、右ユニットケース２２の上部）は、前述したように、後ケース６の保持部６３に保持される。
【００３４】
首振り駆動用ユニットＢの上部は、後ケース６の保持部６３に保持され、更に前記中ケース３の横板状部３２で覆われる。このようにして、首振り駆動用ユニットＢは、この上部を支点として、扇風機本体Ａに対し、相対的に揺動する。本例では、首振り駆動用ユニットＢが台座部Ｃの台部２５に固定されるので、扇風機本体Ａの方が首振り駆動用ユニットＢに対して、揺動することとなる。
【００３５】
尚、扇風機本体Ａの首振り駆動用ユニットＢに対する揺動は、扇風機本体Ａが水平回動する際は、図示を省略した部材により相互に固定されて阻止されるが、前後方向に回動する際には、当該揺動がなされる。
【００３６】
右ユニットケース２２の長穴２２ｂは、扇風機本体Ａが前後方向に揺動する際に機能するもので、後述するカム体回転時における八の字カム溝２１ａに対向して設けられる。そして、この長穴２２ｂに前後揺動制御ピン２４が挿入された際に、この扇風機本体Ａが前後方向に揺動可能なように、長穴２２ｂは若干湾曲形成されている。尚、首振り駆動用ユニットＢに対する扇風機本体Ａの前後方向の揺動は後に詳述する。
【００３７】
台座部Ｃは、ラチェット歯車４０をその筒状部４１ａに装着した底板４１と、底板４１の上部に回転可能に設けられる台部２５とから構成される。ラチェット歯車４０は、ラチェット爪４０ｂ，４０ｂを備える。また、台座部Ｃにおいて、ラチェット歯車４０を保持する部位には、前記ラチェット爪４０ｂ，４０ｂと係合する歯部４１ｂ，４１ｂを設けている。これらラチェット爪４０ｂ，４０ｂと歯部４１ｂ，４１ｂで構成されるラチェット構造を具備して、首振りユニットＢに一定以上の外力が加わった際に、ラチェット爪４０ｂ，４０ｂと歯部４１ｂ，４１ｂとの係合が外れるように設けている。尚、図１中、２６，２７，２８，２９はブッシュである。
【００３８】
次に、本例における首振りユニットＢの水平方向の駆動（水平駆動）について説明する。
【００３９】
本例の扇風機の首振り機構は、扇風機本体Ａと台座部Ｃとの間に首振り駆動用ユニットＢを設け、前記首振りユニット内に首振り駆動用のモータ１３を備えた形式のものにおいて、前記のとおり、首振り駆動用ユニットＢは、前記モータの回転を伝達する減速歯車列１６，１７，１８，１９と、この減速歯車列に駆動連係するカム体２１と、このカム体に駆動連係して揺動動作しその揺動端部にラック２０ａを設けた揺動ラック体２０と、台座部Ｃに保持されるラチェット歯車４０と、を備え、更に、前記揺動ラック体２０のラック２０ａと前記ラチェット歯車４０とが噛合して構成される。
【００４０】
上記首振り機構において、モータ１３の回転により、減速歯車列１６，１７，１８，１９及び前記カム体２１の回転によって揺動ラック体２０が揺動し、この揺動ラック体のラック２０ａとこれに噛合する前記ラチェット歯車４０の歯部４０ａとの相対駆動により、当該揺動ラック体が当該ラチェット歯車の回りを噛み合い往復回動し、これにより前記首振り駆動用ユニットＢが、水平方向に首振り駆動する。
【００４１】
これを詳述すると、モータ回転軸に固着されたウオームギアは歯車１６の大径歯車１６ａと噛合し、歯車１６の小径歯車１６ｂは歯車１７の大径歯車１７ａと噛合し、歯車１７の小径歯車１７ｂは歯車１８の大径歯車１８ａと噛合し、歯車１８の小径歯車１８ｂは歯車１９の大径歯車１９ａと噛合し、歯車１９の小径歯車１９ｂはカム体２１のギア受部２１ｃと噛合している。従って、モータ１３が回転すると、減速歯車列１６，１７，１８，１９を経由して、カム体２１が偏心回転する。
【００４２】
カム体２１は、揺動ラック体２０の中間部に設けられている係合穴２０ｂの内側に係合しているので、このカム体２１の偏心回転により、揺動ラック体２０が上部支点部（上部軸２０ｃ）を支点として、揺動する。
【００４３】
揺動ラック体２０が揺動すると、揺動ラック体下端のラック２０ａが駆動する。このラック２０ａはラチェット歯車４０に噛合しているので、ラック２０ａの駆動でラチェット歯車４０を回転させようとするが、ラチェット歯車４０はラチェット爪４０ｂによって回転負荷がかかっているので、当該揺動ラック体２０がラチェット歯車４０の回りを相対的に噛み合い回動する。そして、揺動ラック体２０の揺動駆動により、当該揺動ラック体２０のラチェット歯車４０に対する噛み合い回動は往復動することとなる。これにより、揺動ラック体２０が回転するので首振り駆動用ユニットＢも回転して、首振り駆動用ユニットＢの周期的な水平往復駆動がなされる。
【００４４】
前述したように、ラチェット歯車４０は、ラチェット爪４０ｂ，４０ｂを備えていて、ラチェット構造を具備しているので、首振りユニットＢに一定以上の外力が加わった際に、ラチェット爪４０ｂ，４０ｂと歯部４１ｂ，４１ｂとの係合が外れるように設けられている。従って、首振りユニットＢの首振り動作位置を適宜変更させる等の場合にラチェット構造を利用することができるので便宜である。
【００４５】
次に、本例における首振り駆動用ユニットＢの前後方向の首振り駆動（上下駆動）について説明する。
【００４６】
扇風機本体Ａと台座部Ｃとの間に首振り駆動用ユニットＢを設け、前記首振りユニット内に首振り駆動用のモータ１３を備えた扇風機の首振り機構において、前述したように、扇風機本体Ａは、前記首振り駆動用ユニットＢを覆う一方及び他方のケース部（本例では中ケース３，後ケース６）を備えるとともに、他方のケース部（本例では後ケース６）には前記首振りユニットの上端部を保持する首振り駆動用ユニットＢの保持部６３を備えて、この保持部６３と前記首振り駆動用ユニットＢの上部軸受部（上部軸２０ｃ）とが、前記ケース部（中ケース３，後ケース６）及び首振り駆動用ユニットＢにおける相対回動の支点部を構成している。
【００４７】
首振り駆動用ユニットＢには、カム体２１と、このカム体を回転可能に支持する右ユニットケース２２と、を備えており、そして、カム体２１は、鉛直方向に位置するとともに、当該カム体の前記右ユニットケース２２側の鉛直面部には、八の字カム溝２１ａが形成され、また、ユニットケース２２には、前記八の字カム溝に対向する長穴２２ｂを設けており、更に、前記ユニットケース２２の前記長穴２２ｂに対向する位置における前記一方のケース部３には、その先端が前記長穴２２ｂを挿通して前記八の字カム溝２１ａと係合する前後駆動制御ピン２４を設けて構成されている。
【００４８】
このような構成を備えているので、モータ１３の回転により、減速歯車列１６，１７，１８，１９及びカム体２１が回転し、このカム体が偏心回転して、前記八の字カム溝２１ａに係合する前後駆動制御ピン２４は前記長穴２２ｂに規制されて、前後駆動させられる。この前後駆動制御ピンの前後駆動により、ケース部（本例では中ケース３）を介して、扇風機本体Ａが首振り駆動用ユニットＢに対し、前後方向に首振り駆動することとなる（図６参照）。
【００４９】
尚、本例では、前記一方のケース部（中ケース３）には突片３４を一体形成し、この突片３４に前記前後駆動制御ピン２４を設けている。従って、この例では中ケース３の前記突片３４を介して、扇風機本体Ａが、前後方向に首振り駆動（上下駆動）する。
【００５０】
また、本例の首振り機構は、前記水平方向の首振り駆動と前記前後方向の首振り駆動とが設けられており、従ってこれらを合体して駆動すれば、横八の字型動作（左右方向及び上下方向の動作）をすることができ、しかも、この合体動作を、上述した一枚のカム体２１で制御することができるものである。
【産業上の利用可能性】
【００５１】
本発明の扇風機の首振り機構は、例えばパソコンのＵＳＢを電源として駆動する小型扇風機に好適である。
【符号の説明】
【００５２】
Ａ    扇風機本体
Ｂ    首振り駆動用ユニット
Ｃ    台座部
１    前ケース
２    下流側インペラ
３    中ケース
３１    柱状部
３２    横板状部
３３    スイッチ配置部
３４    突片
３４ａ    孔
４    下流側モータ
５    上流側モータ
６    後ケース
６１    柱状部
６２    載置部
６３    保持部
７    上流側インペラ
８    グリルカバー
９，１０，１１，１２    スイッチ回路部
１３    モータ
１３ａ    ウオームギア
１５    左ユニットケース
１６，１７，１８，１９    歯車
２０    揺動ラック体
２０ａ    ラック
２０ｂ    カム係合穴
２０ｃ    上部軸
２１    カム体
２１ａ    八の字カム溝
２１ｂ    突出軸
２１ｃ    ギア受部
２２    右ユニットケース
２２ａ    軸部
２２ｂ    長穴
２２ｃ    固着部
２２ｄ    軸部
２２ｅ    孔
２４    前後駆動制御ピン
２５    台部
２６，２７，２８，２９    ブッシュ
４０    ラチェット歯車
４０ａ    歯部
４０ｂ    ラチェット爪
４１    底板
４１ａ    筒状部
４１ｂ    歯部
【図１】
2014211116.tif 000003
【図２】
2014211116.tif 000004
【図３】
2014211116.tif 000005
【図４】
2014211116.tif 000006
【図５】
2014211116.tif 000007
【図６】
2014211116.tif 000008